(57)【要約】【課題】光学系電子機器に設けられ、小型工具を容易に取り出すことができ、かつ筐体に特別の加工を必要としない小型工具の収納構造を提供する。【解決手段】小型工具であるドライバを、ドライバ部の反対側に第１の凸部が設けられ、中央部に長方形のガイド穴が設けられている平型ドライバとし、光学系電子機器のレンズキャップ１０のドライバ取り付け面１０ａには、平型ドライバのドライバ部が係合できる凹部を有するフック付きリブ１１、平型ドライバ２０を中間で下側から支持する支持リブ１２、平型ドライバのガイド穴２２と係合する位置決めリブ１４、および平型ドライバの第１の凸部と係合する穴が設けられ、穴の上部には平型ドライバが収納された状態で平型ドライバの第１の凸部の上面と係合する第２の凸部１４が設けられた、可撓性を有する固定リブ１４が１列に設けられている。【選択図】図２
2006064846.tif 000002
【特許請求の範囲】
【請求項１】
光学系電子機器で使用される小型工具を収納するための収納構造であって、
収納された前記小型工具の移動を規制する構成要素が、前記光学系電子機器のレンズの保護に用いられるレンズキャップの内部に設けられている、光学系電子機器における小型工具収納構造。
【請求項２】
前記小型工具に形成された要素と係合して収納された前記小型工具の移動を規制する複数のリブが、前記レンズキャップの内部に設けられている、請求項１に記載の光学系電子機器における小型工具収納構造。
【請求項３】
収納された前記小型工具の弾性を利用して該小型工具を固定する固定構造と、前記リブの可撓性を利用して固定された前記小型工具を開放する開放構造とを有する、請求項２に記載の光学系電子機器における小型工具収納構造。
【請求項４】
収納される前記小型工具は、工具機能部と、該工具機能部と反対の端部に設けられた第１の凸部と、前記工具機能部と前記第１の凸部との中間に設けられたガイド穴とを有する板状の平型小型工具であり、
前記小型工具を収納するための収納構造は、前記光学系電子機器のレンズの保護に用いられるレンズキャップの内部の底面を小型工具取り付け面として構成され、
前記小型工具取り付け面上には、
前記工具機能部の前記小型工具取り付け面に対する垂直方向の移動を規制するように、前記平型小型工具の前記工具機能部が係合できる凹部を有するフック付きリブ、
前記平型小型工具の中間位置で前記平型小型工具を前記小型工具取り付け面側から支持する支持リブ、
前記平型小型工具の前記小型工具取り付け面に対する水平方向の移動を規制するように、前記平型小型工具の前記ガイド穴と係合する位置決めリブ、および
前記平型小型工具の前記第１の凸部と係合する穴が設けられ、前記平型小型工具が収納された状態で前記平型小型工具の前記第１の凸部の上面と係合して前記平型小型工具の弾性により該平型小型工具を固定するように前記穴の上面を構成する部材に第２の凸部が設けられている、可撓性を有する固定リブ、が１列に設けられている、請求項１から請求項３のいずれか１項に記載の光学系電子機器における小型工具収納構造。
【請求項５】
前記小型工具がドライバであり、工具機能部がドライバ部である、請求項１から請求項４のいずれか１項に記載の小型工具収納構造。
【請求項６】
前記光学系電子機器がプロジェクタである、請求項１から請求項４のいずれか１項に記載の小型工具収納構造。
【請求項７】
請求項４に記載の光学系電子機器における小型工具収納構造を用いた小型工具の収納および取り外し方法であって、
前記小型工具の収納方法は、
フック付きリブの凹部に平型小型工具の工具機能部を挿入して、前記平型小型工具が支持リブに接触し、前記平型小型工具のガイド穴が位置決めリブと係合するまで前記平型小型工具を小型工具取り付け面に平行の方向に傾斜させるステップと、
さらに前記平型小型工具の弾性を利用して該平型小型工具の第１の凸部が固定用リブの頭部を押し開いて該固定用リブの穴部に係合するまで前記平型小型工具を小型工具取り付け面に平行の方向に傾斜させるステップとを含み、
前記小型工具の取り外し方法は、
前記平型小型工具の前記第１の凸部が前記固定用リブの第２の凸部から開放されるまで前記固定用リブの頭部を押し開くステップと、
前記平型小型工具の前記第１の凸部が前記固定用リブから開放されるまで前記工具機能部の近傍を押圧し、前記平型小型工具を前記フック付きリブから引き出して前記小型工具収納構造から取り外すステップを含む、小型工具の収納および取り外し方法。
【発明の詳細な説明】
【技術分野】
【０００１】
本発明は光学系電子機器における小型工具収納構造と工具収納・取り外し方法に関し、特にレンズキャップに設けられたドライバ収納構造とドライバ収納・取り外し方法に関する。
【背景技術】
【０００２】
電子機器などの製品に付属する添付品としては、一般的にリモコンやハンドル、電源ケーブル、メンテナンス用の小型のドライバなどが用意されている。この中でも小さくて紛失の可能性の高いドライバは、従来小袋に収納された状態で製品の梱包箱に格納されており、ユーザは製品に対して、例えばランプ交換などの作業でドライバを必要とする際にはそのドライバを梱包箱より取り出して作業を行っていた。
【０００３】
しかし、このような状況にはドライバを紛失したり、必要な場合にすぐ間に合わなかったりするという問題があった。その理由はドライバの収納場所が明確になっておらず、製品本体とドライバの収納部が常に同じ場所にあるとは限らないからである。最近需要の急増している光学系電子機器であるプロジェクタにおいても同様の問題が発生している
工具の収納法としては色々な対策が提案されており、例えば一般的な工具の収納法として特許文献１にはフックの吊り下げによる固定法が開示されている。また、特許文献２には、画像形成装置の側面に設けられたオプション機器を取り付けるための開口の閉止用の蓋部材を除去するための専用工具を、開閉ドアの内面に設けられた工具装着部に取り付け、工具装着部に取り付けられた専用工具が開閉ドアの開閉の検知などの機能を有する工具装着部を備えた画像形成装置が開示されている。さらに、特許文献３には、専用工具を筐体に装着する収納構造として、専用工具の一方側の略半分と面接触するマグネットが埋め込まれた台座と、面接触しない他方の側の略半分の位置に対応して設けられている凹部とからなる収納構造を有する筐体が開示されている。
【特許文献１】特開２００４-１４２０７５号
【特許文献２】特開２００３-９１１１８号
【特許文献２】特開平１１-３５４９３５号
【発明の開示】
【発明が解決しようとする課題】
【０００４】
特許文献１に記載のフックの吊り下げによる固定法では、工具はフックが固定されている面に対して垂直方向のみの固定しかされず、面に対して水平方向には固定されておらず、プロジェクタなどの電子機器の工具の収納には適用できない。また、特許文献２に記載の専用工具の収納構造では、広い開閉ドアの内面に設けられた工具装着部に取り付けるので容易に着脱ができるのであり、取り付け空間の狭い電子機器などに適用することには困難がある。特許文献３に記載の収納構造では、狭い空間での収納が可能であるがマグネットを設ける必要があり、周囲への影響も懸念されるという問題がある。
【０００５】
例えばプロジェクタなどに備えられる小型ドライバは、ハンドル取り付けやランプ交換の際に用いられるものである。この小型ドライバは小さいため紛失しやすく、また製品使用時に常に必要になるものではないため、必要なときに手元にないということが起きやすい。小型ドライバを製品本体に収納することも考えられるが、それにはいくつかの問題点が挙げられる。プロジェクタにはランプ交換のための開口部およびそれを閉じておくランプカバーが設けられている。製品本体の筐体に開閉構造を設けて小型ドライバを製品内部に収納する構造とした場合、ランプカバーと工具収納部の扉をユーザが混同してしまう可能性がある。ランプカバーを不用意に開けてしまうと製品使用直後の場合ランプが高温になっているため危険である。さらに製品本体内部に小型ドライバを収納しようとした場合、内部部品のレイアウトの自由度や小型化を考慮した設計の妨げになる。開閉形状などを設けずに製品本体表面に工具を取り付ける収納法も考えられるが製品外観の美観を大きく損ねてしまう。また工具収納のために追加部品が必要となってしまってはコストや製品の組立性の面で不利になってしまう。
【０００６】
本発明の目的は、光学系電子機器に設けられ、小型工具を容易に取り出すことができ、かつ筐体に特別の加工を必要としない小型工具の収納構造を提供することにある。
【課題を解決するための手段】
【０００７】
本発明の光学系電子機器における小型工具収納構造は、
光学系電子機器で使用される小型工具を収納するための収納構造であって、収納された小型工具の移動を規制する構成要素が、光学系電子機器のレンズの保護に用いられるレンズキャップの内部に設けられている。
【０００８】
小型工具に形成された要素と係合して収納された小型工具の移動を規制する複数のリブが、レンズキャップの内部に設けられていてもよく、収納された小型工具の弾性を利用してその小型工具を固定する固定構造と、リブの可撓性を利用して固定された小型工具を開放する開放構造とを有していてもよい。
【０００９】
収納される小型工具は、工具機能部と、その工具機能部と反対の端部に設けられた第１の凸部と、工具機能部と第１の凸部との中間に設けられたガイド穴とを有する板状の平型小型工具であり、小型工具を収納するための収納構造は、光学系電子機器のレンズの保護に用いられるレンズキャップの内部の底面を小型工具取り付け面として構成され、小型工具取り付け面上には、工具機能部の小型工具取り付け面に対する垂直方向の移動を規制するように、平型小型工具の工具機能部が係合できる凹部を有するフック付きリブ、平型小型工具の中間位置で平型小型工具を小型工具取り付け面側から支持する支持リブ、平型小型工具の小型工具取り付け面に対する水平方向の移動を規制するように、平型小型工具のガイド穴と係合する位置決めリブ、および平型小型工具の第１の凸部と係合する穴が設けられ、平型小型工具が収納された状態で平型小型工具の第１の凸部の上面と係合して平型小型工具の弾性によりその平型小型工具を固定するように穴の上面を構成する部材に第２の凸部が設けられている、可撓性を有する固定リブ、が１列に設けられていてもよい。
【００１０】
小型工具がドライバであり、工具機能部がドライバ部であってもよく、光学系電子機器がプロジェクタであってもよい。
【００１１】
本発明の小型工具の収納および取り外し方法は、
上述の光学系電子機器におけるレンズケースに設けられた小型工具収納構造を用いた小型工具の収納および取り外し方法であって、小型工具の収納方法は、フック付きリブの凹部に平型小型工具の工具機能部を挿入して、平型小型工具が支持リブに接触し、平型小型工具のガイド穴が位置決めリブと係合するまで平型小型工具を小型工具取り付け面に平行の方向に傾斜させるステップと、さらに平型小型工具の弾性を利用してその平型小型工具の第１の凸部が固定用リブの頭部を押し開いてその固定用リブの穴部に係合するまで平型小型工具を小型工具取り付け面に平行の方向に傾斜させるステップとを含み、
小型工具の取り外し方法は、平型小型工具の第１の凸部が固定用リブの第２の凸部から開放されるまで固定用リブの頭部を押し開くステップと、平型小型工具の第１の凸部が固定用リブから開放されるまで工具機能部の近傍を押圧し、平型小型工具をフック付きリブから引き出して小型工具収納構造から取り外すステップを含む。
【００１２】
レンズキャップにリブを追加することによりレンズキャップ内に小型のドライバを収納することができる。
【発明の効果】
【００１３】
本発明の光学系電子機器における小型工具収納構造では、次のような効果が得られる。即ち、
第１の効果は、小型工具の紛失が防止されることである。その理由は、光学系電子機器の不使用時には常に本体に取り付けられているレンズキャップの内部に小型工具が取り付けられており、小型工具の収納場所が明確になるためである。
【００１４】
第２の効果は、ランプ交換やハンドル取り付けなどの小型工具を必要とする作業の作業性が向上することである。その理由は、作業に必要な小型工具が常に製品本体に収納されているため工具を探す手間が省けるためである。
【００１５】
第３の効果は、製品の外観に影響を与えないことである。その理由は小型工具はレンズカバーの内部に設けられており、収納場所を設けるために製品筐体に加工を行なう必要がないからである。
【００１６】
第４の効果は、小型工具収納場所を設けるためコストが少ないことである。その理由は収納場所を設けるために製品筐体に加工を行なう必要がなく、レンズカバーの設計の変更のみで小型工具の収納場所が得られるからである。
【００１７】
第５の効果は、梱包資材削減によるコストダウンである。その理由は、小型工具を収納するための小袋を必要としないからである。
【発明を実施するための最良の形態】
【００１８】
次に、本発明の実施の形態について図面を参照して説明する。本実施の形態では光学系電子機器をプロジェクタとし、小型工具を平型のドライバとして説明するが、これに限定されるものではなく、レンズ保護のためのレンズカバーが設けられている光学系電子機器、例えばカメラやビデオに対しても適用でき、小型工具も平型のドライバに限定されるものではなく、レンズカバーの内側に収納できる大きさであれば、例えばロータリ式の切り替えスイッチを操作する専用工具のようなものであってもよい。
【００１９】
図１は本発明の実施の形態の平型のドライバの模式的斜視図であり、図２は本発明の実施の形態のドライバの収納構造が設けられたレンズキャップの内側の斜視図であり、図３は図２のレンズキャップの内側の平面図であり、図４は図３のレンズキャップを切断線Ａ−Ａで切断した断面図であり、図５は図２の固定リブ近傍の部分斜視図であり、図６は図２のレンズキャップに図１の平型のドライバを収納した状態を示すレンズキャップの内側の斜視図であり、図７は図６の固定リブ近傍の部分斜視図である。
【００２０】
本発明の実施の形態では、フック付きリブ１１と支持リブ１２と位置決めリブ１３と固定用リブ１４が内面に設けられたレンズキャップ１０と、ガイド穴２２と第１の凸部２３が設けられた平型ドライバ２０とを組み合わせて、レンズキャップ１０内に平型ドライバ２０を収納できるようになっている。
【００２１】
図１に示されるように、小型工具であるドライバは、レンズキャップ１０の内側の円筒部に収納可能な大きさの板状の平型ドライバ２０となっており、ドライバ部２１の反対側に第１の凸部２３が設けられ、ドライバ部２１と第１の凸部２３とを結ぶ線に沿って中央部に長方形のガイド穴２２が設けられている。
【００２２】
図２から図５に示すように、レンズキャップ１０の内側の円筒部の底面はドライバ取り付け面１０ａとなっており、ドライバ取り付け面１０ａには平型ドライバ２０のドライバ部２１が係合できる凹部を有するフック付きリブ１１、平型ドライバ２０をドライバ部２１とガイド穴２２の中間で下側から支持する支持リブ１２、平型ドライバ２０のガイド穴２２と係合する位置決めリブ１４、および平型ドライバ２０の第１の凸部２３と係合する穴が設けられ、穴の上部には平型ドライバ２０が収納された状態で平型ドライバ２０の第１の凸部２３の上面と係合する第２の凸部１４ａが設けられた、可撓性を有する固定リブ１４が１列に設けられている。
【００２３】
フック付きリブ１１は、平型ドライバ２０の収納時にドライバ部２１と係合して平型ドライバ２０をレンズキャップ１０のドライバ取り付け面１０ａに対して垂直方向に固定する。支持リブ１２は、ドライバ収納時に平型ドライバ２０を下側から支持し、取り外す際には平型ドライバ２０の第１の凸部２３を上方に持ち上げるための梃子の原理の支点となるものである。位置決めリブ１３は、平型ドライバ２０に設けられたガイド穴２２と嵌合することにより、レンズキャップ１０のドライバ取り付け面１０ａに対して水平方向に平型ドライバ２０の位置を固定するものである。図５に示すように固定用リブ１４の穴の上面の中央には第２の凸部１４ａが設けられている。平型ドライバ２０の弾性を利用して固定用リブ１４の第２の凸部１４ｂで平型ドライバ２０の第１の凸部２３を押さえて固定することにより、レンズキャップ１０のドライバ取り付け面１０ａに対して垂直方向に平型ドライバ２０の位置が固定される。図６はレンズキャップ１０に平型ドライバ２０が収納された状態を示している。
【００２４】
次に、本発明の実施の形態のプロジェクタのレンズキャップに設けられた平型ドライバ収納構造を用いた平型ドライバの収納・取り外し動作について、図７、図８、および図９を参照して説明する。図８はレンズキャップに設けられた平型ドライバ収納構造に平型ドライバを収納する動作を示す模式的断面図であり、図９はレンズキャップに設けられた平型ドライバ収納構造から平型ドライバを取り外す動作を示す模式的断面図である。
【００２５】
はじめに、レンズキャップ１０に設けられた平型ドライバ収納構造に平型ドライバを収納する動作について説明する。図８に示すようにフック付きリブ１１の凹部に平型ドライバ２０のドライバ部２１を挿入し、平型ドライバ２０の第１の凸部２３側を矢印の方向に倒す。それによって平型ドライバ２０の下側が支持リブ１２に当接するとともに、平型ドライバ２０のガイド穴２２に位置決めリブ１３が嵌合してレンズキャップ１０に対しての平型ドライバ２０のドライバ取り付け面１０ａと平行方向での位置が固定される。さらに図９のように平型ドライバ２０の第１の凸部２３側を平型ドライバ２０が水平になるまで押し下げると、第１の凸部２３が固定用リブ１４の門形の部分をドライバ取り付け面１０ａと平行方向に押し分けて固定用リブ１４の穴に入り込み、固定用リブ１４の門形の部分が戻って固定用リブ１４の第２の凸部１４ａが平型ドライバ２０の第１の凸部２３と係合する。平型ドライバ２０の弾性に抗して第１の凸部２３は押し下げられているので、固定用リブ１４の第２の凸部１４ａと平型ドライバ２０の第１の凸部２３との係合により平型ドライバ２０は図９に示すように固定される。
【００２６】
次に、平型ドライバ２０をレンズキャップ１０に設けられた平型ドライバ収納構造より取り外す動作を説明する。平型ドライバ２０がレンズキャップ１０の平型ドライバ収納構造に収納されている状態において、図９の右側の円で示される固定用リブ１４の門型の部分を位置決めリブ１３から離れる方向に押圧する。それによって固定用リブ１４の第２の凸部１４ａと平型ドライバ２０の第１の凸部２３との係合が解除され、平型ドライバ２０の第１の凸部２３は弾性によってドライバ取り付け面１０ａから離れる方向に移動する。さらに図９の左側の円で示される平型ドライバ２０のフック付きリブ１１と支持リブ１２の中間を押圧すると第１の凸部２３はドライバ取り付け面１０ａからさらに離れる方向に移動するので平型ドライバ２０を平型ドライバ収納構造より容易に取り外すことができる。
【００２７】
これまでの説明で平型ドライバ収納構造を構成する支持リブ１２と位置決めリブ１３は独立した構成としていたが一体に構成してもよい。
【図面の簡単な説明】
【００２８】
【図１】本発明の実施の形態の平型のドライバの模式的斜視図である。
【図２】本発明の実施の形態のドライバの収納構造が設けられたレンズキャップの内側の斜視図である。
【図３】図２のレンズキャップの内側の平面図である。
【図４】図３のレンズキャップを切断線Ａ−Ａで切断した断面図である。
【図５】図２の固定リブ近傍の部分斜視図である。
【図６】図２のレンズキャップに図１の平型のドライバを収納した状態を示すレンズキャップの内側の斜視図である。
【図７】図６の固定リブ近傍の部分斜視図である。
【図８】レンズキャップに設けられた平型ドライバ収納構造に平型ドライバを収納する動作を示す模式的断面図である。
【図９】レンズキャップに設けられた平型ドライバ収納構造から平型ドライバを取り外す動作を示す模式的断面図である。
【符号の説明】
【００２９】
１０    レンズキャップ
１０ａ    ドライバ取り付け面
１１    フック付きリブ
１２    支持リブ
１３    位置決めリブ
１４    固定用リブ
１４ａ    第２の凸部
２０    平型ドライバ
２１    ドライバ部
２２    ガイド穴
２３    第１の凸部
【図１】
2006064846.tif 000003
【図２】
2006064846.tif 000004
【図３】
2006064846.tif 000005
【図４】
2006064846.tif 000006
【図５】
2006064846.tif 000007
【図６】
2006064846.tif 000008
【図７】
2006064846.tif 000009
【図８】
2006064846.tif 000010
【図９】
2006064846.tif 000011